(57)【要約】      （修正有）【課題】何時でも何処でも手又は足で遊ぶことによりツボを刺激して按摩効果を得るとともに、手足の運動を促進させる。【解決手段】ある種の遊びに提供できる按摩磁球であって、転がることが可能な本体を備え、本体は磁気非伝導体からなる外殻を備え、本体の内には少なくとも１個の空間が形成され、空間内には少なくとも１個の磁石２４が内蔵され、磁石は空間内で自由に回転でき、本体で遊ぶことにより人体のツボを刺激して按摩の作用をさせる。外殻は２個の半球体２０２，２０４より構成され、各半球体には１個の凹所２０６，２０８が形成され、これらの半球体を組み合わせて凹所により空間が形成される。空間内にはある種の潤滑物体が装填され、磁石が空間内で容易に転がる。空間の壁にはある種の音遮断物体が設けられ、磁石が空間内で転がる際に発生する音の洩れを抑制・低減する。【選択図】図４
2006167423.tif 000002
【特許請求の範囲】
【請求項１】
ある種の遊びに提供できる按摩磁球であって、転がることが可能な本体を備え、当該本体は磁気非伝導体からなる外殻を備え、前記本体の内には少なくとも１個の空間が形成され、当該空間内には少なくとも１個の磁石が内蔵され、当該磁石は前記空間内で自由に回転でき、前記本体で遊ぶことにより人体のツボを刺激して按摩の作用をさせることを特徴とする按摩磁球。
【請求項２】
前記外殻は２個の半球体より構成され、各半球体は１個の凹所が形成され、これらの半球体を組み合わせることにより前記凹所により前記空間が形成されることを特徴とする請求項１記載の按摩磁球。
【請求項３】
前記磁気非伝導体は天然木、石、ゴム、大理石の少なくとも１つからなることを特徴とする請求項１記載の按摩磁球。
【請求項４】
前記空間内には少なくともある種の潤滑物体が装填され、前記磁石が前記空間内で容易に回転可能な構造であることを特徴とする請求項１記載の按摩磁球。
【請求項５】
前記潤滑物体が油又は粉状物質からなることを特徴とする請求項４記載の按摩磁球。
【請求項６】
前記空間の壁には少なくともある種の音遮断物体が設けられ、前記磁石が空間内で転がる際に発生する音の洩れを抑制・低減する構造であることを特徴とする請求項１記載の按摩磁球。
【請求項７】
前記音遮断物体がスチロール、綿、布、繊維材質、不織布の少なくとも１つからなることを特徴とする請求項６記載の按摩磁球。
【請求項８】
前記音遮断物体を構成する繊維材質が植物繊維からなることを特徴とする請求項７記載の按摩磁球。
【請求項９】
前記磁球が永久磁石からなることを特徴とする請求項１記載の按摩磁球。
【請求項１０】
前記本体は少なくとも２個で一組であることを特徴とする請求項１記載の按摩磁球。
【請求項１１】
前記磁石は略球状であることを特徴とする請求項１記載の按摩磁球。
【発明の詳細な説明】
【技術分野】
【０００１】
本発明は、携帯に便利で、遊びながらツボを刺激して按摩の効果を得ることができ、さらに手足の運動を促進させることができる按摩磁球に関する。
【背景技術】
【０００２】
ツボの按摩は中国では古代より身体の健康調整及び病気の治療の主なる方法である。中国の医学では、人体の内蔵機能を五臓六腑に分け、この五臓六腑の機能が正常となるように、そこにエネルギ−を供給するための通路を経絡と称する。この経絡は多数のツボが連なって形成されており、この経絡上の重要部位が、すなわちツボである。
【０００３】
人体の特定のツボ上に圧力を加えるか、若しくは按摩することにより、経脈の気、血液及びリンパ液の循環を促進するばかりではなく、同時に神経の伝達を刺激し、これによって体質の改善が得られる。現在の医学では既に、体内にある種の病態が発生した場合、容易に皮膚の或る部位の変化を見出すことができる。すなわち、皮膚の或る部位の電気抵抗の降下現象が発生する。そして、その部位がまさに中国医学の経絡学でいうツボにおおよそ一致することが多い。ツボ及び経絡は、現代の医学でいえば、電流が容易に流通できる所ともいえる。
【０００４】
古代より中国医学で伝われている針灸法とは、すなわち、ツボの刺激を利用して病気を治す効果を得る方法である。しかしながら針灸法は一般の人々が誰でもが自ら実施することができず、必ず医師や鍼灸師などの専門家の援助を必要とする。また、たとえ自分でできるとしても、何時でも何処でもの実施することには無理である。結果として、一般の人々は、多くは病痛時にはじめて針灸の医師などの専門家を捜して治療を受けるしかなかった。
【発明の開示】
【発明が解決しようとする課題】
【０００５】
本発明は、上述した様々な困難や不便に鑑みてなされたもので、ある種の遊びを行いながらツボ刺激と按摩の効果などが得られるような按摩磁球を提供する。
【０００６】
すなわち、本発明の主要目的は、ある種の遊びとして用いながら按摩ができる按摩磁球を提供し、それを何時でも身近に携帯でき、かつ、何時でも何処でも手のひらまたは足の裏で遊べ、これにより手のひらまたは足の裏の上の多数の異なるツボに刺激を与え、按摩作用により血液の循環を促進し、もって健康の保持が得られる按摩磁球を提供することにある。
【０００７】
本発明の他の目的は、少なくとも２個の転がる本体に内蔵する磁石（好ましくは球状磁石）によりツボに刺激を与える以外に、手または足によりお互いに吸引し合っている少なくとも２個の本体を引き分ける動作をすることにより、手足を運動させることができる按摩磁球を提供することにある。
【課題を解決するための手段】
【０００８】
上記の目的を達するために、本発明はある種の遊びを行いながらツボ刺激と按摩及び手足の運動をすることができる按摩磁球を提供する。
（１）ある種の遊びに提供できる按摩磁球であって、転がることが可能な本体を備え、当該本体は磁気非伝導体からなる外殻を備え、前記本体の内には少なくとも１個の空間が形成され、当該空間内には少なくとも１個の磁石が内蔵され、当該磁石は前記空間内で自由に回転でき、前記本体で遊ぶことにより人体のツボを刺激して按摩の作用をさせる。
（２）前記外殻は２個の半球体より構成され、各半球体は１個の凹所が形成され、これらの半球体を組み合わせることにより前記凹所により前記空間が形成される。
（３）前記磁気非伝導体は天然木、石、ゴム、大理石の少なくとも１つからなる。
（４）前記空間内には少なくともある種の潤滑物体が装填され、前記磁石が前記空間内で容易に回転可能な構造である。
（５）前記潤滑物体が油又は粉状物質からなる。
（６）前記空間の壁には少なくともある種の音遮断物体が設けられ、前記磁石が空間内で転がる際に発生する音の洩れを抑制・低減する構造である。
（７）前記音遮断物体がスチロール、綿、布、繊維材質、不織布の少なくとも１つからなる。
（８）前記音遮断物体を構成する繊維材質が植物繊維からなる。
（９）前記磁球が永久磁石からなる。
（１０）前記本体は少なくとも２個で一組である。
（１１）前記磁石は略球状である。
【発明の効果】
【０００９】
（１）人々が何時、何処にでも遊べ、人々が本体で遊ぶ際、磁石より発する磁力を利用して人体のツボを刺激し、按摩の目的を達させることができる。
（２）吸引し合っている本体を手や足で引き分けたり転がしたりする力により手足の運動を促進させることができる。
【発明を実施するための最良の形態】
【００１０】
以下に、本発明の実施の一形態に係る按摩磁球を、図面を参照しつつ説明する。これにより、本発明の目的、技術内容，特殊性、最終的に得られる効果について、容易に理解されるであろう。
【００１１】
本実施の形態の按摩磁球は、現代の人々がますます健康保持を重要視しつつある点に鑑みて考案されたもので、人々が何時、何処にでも遊べ、人体のツボを刺激して、按摩の目的を達成することができ、手足の運動に供せられるものである。
【００１２】
遊びに提供される按摩磁球は少なくとも２個の転がる本体を含む。図１に本発明の実施の形態に係る按摩磁球の１個の本体の外観を示す。図２に本体の透視図を示す。各転がる本体２には外殻２０を含む。この外殻２０の材質は磁気非伝導体、たとえば天然木、石、ゴム、或は大理石等の絶縁体である。記磁気非伝導体としては、これらの絶縁体を組み合わせてもよいし、他の材料であってもよい。外殻２０の内部に１つの空間２２があり、この空間２２内にその中を自由に回転できる１個の球状磁石（たとえば永久磁石）２４が内蔵されている。磁石は完全な球状ではなくて楕円状などの偏平形状のものであってもよい。
【００１３】
人が手足を利用してこの２個の転がる本体２で遊ぶ時、内蔵された球状磁石２４はお互いに吸引し合い、同時に球状磁石２４が放出する磁力は人体のツボを刺激して按摩の効果を奏する。
【００１４】
上記構造において、図３及び図４に示すように，外殻２０は２個の半球体２０２，２０４から構成され、半球体２０２，２０４にはそれぞれ１個の半球状の凹所２０６，２０８が形成されている。これらの２個の半球体２０２，２０４を組み合わせると、２個の凹所２０６，２０８は結合して１個の空間２２が形成され、球状磁石２４がこの空間で自由に転がることができるようになっている。２個の本体２が転がると内部の球状磁石２４も互いに吸引された状態で回転させられ、本体２の吸引が維持される。
【００１５】
なお、上記構造において、図５に示すように、２個の半球体２０２，２０４の凹所２０６，２０８に潤滑物体２６、例えば油、或は粉状物質を入れ、球状磁石２４が容易に２個の凹所２０６，２０８で構成された１個の空間２２の中を自由に転がることができるようにしたものでもよい。さらに、同時に２２の内壁に音遮断材料（図示せず）を貼り付けることもできる。その音遮断物体の材料としては、スチロール、綿、布、或は繊維材質、不織布などやこれらの物混合物などが用いられ、そのうち繊維材質としては、植物繊維が使用される。音遮断材料を貼り付ける理由は、球状磁石２４が空間２２の中を転がる時に発生する音（打撃音や摩擦音など）の洩れを抑制・低減するためである。
【００１６】
上記実施の形態では按摩磁球を２個の本体２から構成した例を示したが、個数については特に制限されるものではなく、１個だけであっても２個を超えるものであってもよい。１個だけものもであっても握った際の圧力や磁気によりツボを刺激することができ、２個を超えるものでは握った際に複数のツボが同時に刺激され、良好な按摩効果を発揮できる。
【００１７】
上記実施の形態では本体２の表面は平滑な面となったものを示したが、その表面に多数の凹凸（ディンプル）や多数の溝（例えばくるみの表面状の溝）が形成されたものであってもよい。ディンプルや溝によりツボの刺激効果が向上するとともに、擦れる際に摩擦音が生じてリズミカルに使用することができる。
【００１８】
上記按摩磁球は「磁球」という単語を用いている通りその本体２は完全な球体をなしているが、「磁球」という単語は便宜上使用したもので一般に認知される意味以上に広く解釈する。すなわち、転がすのに支障がない程度に、偏平した楕円状の立体形状のものや、くびれのある立体形状（例えば瓢箪形）のものをも含む。
【００１９】
人体には多数のツボがあり、本発明はある種の遊びに供する２個の転がる本体２を含む按摩磁球を用いれば、この２個の本体２は強力な磁力により互いに吸引され、手、足を利用して本体２を引き分けたり回転運動させたりする操作により、人体のツボを刺激し、もって血液の循環を促進し、健康保持に貢献することができる。また、人体の手及び足は比較的運動の少ない部位であるが、前記２個の転がる本体２を利用して、手のひらや足の裏で転がしたり、引き分けたりする力で、手足の運動ができる。
【００２０】
なお、以上の実施の形態の説明は、本発明が属する技術分野の技術を充分理解している当業者が本発明の内容を理解して実施することができるように記載したものである。しかしながら、これらの説明によって、本発明の技術的範囲を限定したわけではなく、本発明に掲げた技術的思想の範囲内における変形、修正、変更は当然のことながら本発明の木樹的範囲内に含まれるものである。
【図面の簡単な説明】
【００２１】
【図１】本発明の一実施の形態に係る按摩磁球の本体の外観を示す図である。
【図２】本発明の一実施の形態に係る按摩磁球の本体の内部構造を示す図である。
【図３】本発明の一実施の形態に係る按摩磁球の２個の半球体の外観を示す図である。
【図４】本発明の一実施の形態に係る按摩磁球の２個の半球体の立体的な構造を示す図である。
【図５】本発明の他の実施の形態に係る按摩磁球の２個の半球体の外観を示す図である。
【符号の説明】
【００２２】
２    本体
２０    外殻
２２    空間
２４    球状磁石
２０２，２０４      半球体
２０６，２０８        凹所
２６    潤滑物体
【図１】
2006167423.tif 000003
【図２】
2006167423.tif 000004
【図３】
2006167423.tif 000005
【図４】
2006167423.tif 000006
【図５】
2006167423.tif 000007